(57)【特許請求の範囲】
【請求項１】
カード取扱装置から回収された複数のカードを順に収容するカード回収箱と、
前記カード回収箱と前記カード取扱装置のユーザ側前面との間でカードを搬送する搬送機構と、
前記回収箱内で、その高さ方向に、夫々、昇降自在の上側昇降板、及び、下側昇降板であって、夫々、カードの平面に臨み、カードを搬送させるローラを備える、前記上側昇降板、及び、下側昇降板と、
前記上側昇降板と前記下側昇降板とを夫々昇降させる移動機構と、
前記回収箱の底面に位置し、ユーザに返却する必要が無い不要カードを収容する収容部と、
前記搬送機構、前記ローラ、及び、前記移動機構を夫々制御するコントローラと、
を備え、
前記コントローラは、
前記回収箱内に回収しようとしているカードが、前記上側昇降板と前記下側昇降板との間で他のカードと共に積層されるように、前記搬送機構を制御して、前記回収しようとしているカードを、前記カード取扱装置から、前記回収箱の開口部を介して、当該回収箱に搬送させ、
前記上側昇降板と前記下側昇降板との間の複数のカードからなる積層体の中からユーザが返却を求めるカードを選別し、当該選別されたカードを、前記移動機構を駆動させて前記開口部に臨むように位置させ、次いで、前記上側昇降板のローラ、又は、前記下側昇降板のローラを駆動させて前記開口部から前記搬送機構に送出し、そして、当該搬送機構を駆動させて、前記選別されたカードを前記カード取扱装置のユーザ側前面に搬送し、
前記回収しようとしているカードが前記不要カードであることを判定すると、前記移動機構を制御して、前記上側昇降板、及び、前記下側昇降板を、前記開口部より上の位置まで上昇させ、そして、前記搬送機構によって前記不要カードを前記開口部から前記回収箱に送出して、当該不要カードを、当該回収箱内を前記収納部まで自由落下させる、
カード取扱システム。
【請求項２】
前記コントローラは、前記積層体を構成する複数のカード夫々の位置を管理する管理情報をメモリに記憶させ、前記複数のカードのうちユーザに返却すべきカードの前記積層体における位置を、前記管理情報に基いて決定する、
請求項１記載のカード取扱システム。
【請求項３】
前記コントローラは、前記積層体の下端にあるカードが、前記ユーザが返却求めるカードであることを判定すると、当該下端にあるカードを、前記下側昇降板のローラを駆動させることによって、前記開口部を介して前記搬送機構に送出する、請求項２記載のカード取扱システム。
【請求項４】
前記コントローラは、前記積層体の上端にあるカードが、前記ユーザが返却を求めるカードであることを判定すると、前記上側昇降板のローラを駆動させることによって、当該上端にあるカードを、前記開口部を介して搬送機構に送出する、請求項２記載のカード取扱システム。
【請求項５】
前記コントローラは、
前記ユーザが返却を求めるカードが、前記積層体の上端と下端との間にあることを判定すると、
前記下側昇降板のローラを駆動させて、前記積層体の下端のカードを前記開口部から前記搬送機構に送出し、
前記下側昇降板を下降させ、その後、前記搬送機構を駆動させて、前記開口部を介して、前記下端のカードを、前記積層体の上端に移動させ、
前記下端のカードを前記積層体の上端に移動させることを、前記ユーザが返却を求めるカードが前記積層体の下端になるまで繰り返す、
請求項３記載のカード取扱システム。
【発明の詳細な説明】
【技術分野】
【０００１】
本発明は、カードの回収と返却を可能にするカード取扱システムに関するものである。
【背景技術】
【０００２】
ＡＴＭ（Automated Teller Machine）、そして、ＣＤ（Cash Dispenser）等のカードを取扱う装置において、カードの取り扱い処理の後に、ユーザがカードを取り忘れて立ち去った場合、カードを旦回収し、後に、ユーザの求めに応じてカードを返却することが行われている。
【０００３】
従来では、カード取扱装置に、複数のスロットを備えるカード回収装置を付設し、カード回収装置は複数のスロットを上下に動かしてスロットにカードを回収し、カードを返却する場合には、前記スロットから返却すべきカードを搬出させている（特許文献１乃至３参照）。
【先行技術文献】
【特許文献】
【０００４】
【特許文献１】中国特許出願公開第103544768号明細書
【特許文献２】中国特許出願公開第103544769号明細書
【特許文献３】中国特許出願公開第103559755号明細書
【発明の概要】
【発明が解決しようとする課題】
【０００５】
既述のように、スロットによってカードの回収及び返却が可能になるものの、回収できるカードの数はスロットによって制限される、という課題がある。そこで、本発明は、多くのカードを回収でき、しかも、目的のカードを正しく返却できるカード取扱システムを提供することを目的とする。
【課題を解決するための手段】
【０００６】
本願発明に係るカード取扱システムは、カード取扱装置から回収された複数のカードを順に収容するカード回収箱と、前記カード回収箱と前記カード取扱装置のユーザ側前面との間でカードを搬送する搬送機構と、前記回収箱内で、その高さ方向に、夫々、昇降自在の上側昇降板、及び、下側昇降板であって、夫々、カードの平面に臨み、カードを搬送させるローラを備える、前記上側昇降板、及び、下側昇降板と、前記上側昇降板と前記下側昇降板とを夫々昇降させる移動機構と、前記回収箱の底面に位置し、ユーザに返却する必要が無い不要カードを収容する収容部と、前記搬送機構、前記ローラ、及び、前記移動機構を夫々制御するコントローラと、を備え、前記コントローラは、前記回収箱内に回収しようとしているカードが、前記上側昇降板と前記下側昇降板との間で他のカードと共に積層されるように、前記搬送機構を制御して、前記回収しようとしているカードを、前記カード取扱装置から、前記回収箱の開口部を介して、当該回収箱に搬送させ、前記上側昇降板と前記下側昇降板との間の複数のカードからなる積層体の中からユーザが返却を求めるカードを選別し、当該選別されたカードを、前記移動機構を駆動させて前記開口部に臨むように位置させ、次いで、前記上側昇降板のローラ、又は、前記下側昇降板のローラを駆動させて前記開口部から前記搬送機構に送出し、そして、当該搬送機構を駆動させて、前記選別されたカードを前記カード取扱装置のユーザ側前面に搬送し、前記回収しようとしているカードが前記不要カードであることを判定すると、前記移動機構を制御して、前記上側昇降板、及び、前記下側昇降板を、前記開口部より上の位置まで上昇させ、そして、前記搬送機構によって前記不要カードを前記開口部から前記回収箱に送出して、当該不要カードを、当該回収箱内を前記収納部まで自由落下させることを特徴とする。
【発明の効果】
【０００７】
本発明によれば、多くのカードをカードの回収でき、しかも、目的のカードを正しく返却できる。
【図面の簡単な説明】
【０００８】
【図１Ａ】本発明に係るカード取扱システムの一実施形態の平面図である。
【図１Ｂ】当該実施形態の左側面図である。
【図２Ａ】当該実施形態の動作を説明するための左側面図である。
【図２Ｂ】当該実施形態の図２Ａの状態に続く動作を説明するための左側面図である。
【図３】前記実施形態の制御システムのブロック図である。
【図４】前記実施形態の制御システムがカード位置を管理するための管理テーブルの一例である。
【図５】前記制御システムのフローチャートである。
【図６】前記実施形態の他の動作例を説明するための当該実施形態の左側面図である。
【図７Ａ】前記実施形態のさらに他の動作を説明するための当該実施形態の左側面図である。
【図７Ｂ】当該実施形態の図７Ａの状態に続く動作を説明するための左側面図である。
【図８Ａ】前記実施形態のさらに他の動作例を説明するための当該実施形態の左側面図である。
【図８Ｂ】当該実施形態の図８Ａの状態に続く動作を説明するための左側面図である。
【図９】本発明に係るカード取扱システムの他の実施形態の左側面図である。
【図１０】本発明に係るカード取扱システムのさらに他の実施形態の左側面図である。
【図１１Ａ】本発明に係るカード取扱システムのさらに他の実施形態の動作を説明するための左側面図である。
【図１１Ｂ】当該実施形態の図１１Ａの状態に続く動作を説明するための左側面図である。
【図１２】カード取引システムの他の実施形態に係るカード回収装置の左側面図である。
【発明を実施するための形態】
【実施例１】
【０００９】
次に、本発明の実施形態について説明する。従来のカード回収装置では、回収したカードの収容がスロットによって行われていたために、回収できるカードの数はスロットによって制限を受けていたが、下記実施形態に係るカード回収装置は、回収したカードを順に重ねて収容するだけなので、スロットに制限されずに、多くのカードを回収することができる。
【００１０】
図１Ａは、カード取扱システムの一実施形態の平面図であり、図１Ｂは、その左側面図である。カード取扱システムは、カード取扱装置１００と、カード回収装置１２０とを備える。カード取扱装置１００は、例えば、ＡＴＭ、又は、ＣＤである。カード取扱装置１００の背面に隣接してカード回収装置１２０が配置されている。
【００１１】
カード取扱装置１００は、従来の装置と同様に構成されていてよい。そこで、カード取扱装置１００の構成を概説する。符号２はカード取扱装置の本体である。カード取扱装置本体２の前面には、カード挿入口２ａが配置されている。符号２ａ−１は、カードの検出手段としての、例えば、光センサである。
【００１２】
本体２内には、カードを水平に搬送するための複数の搬送装置１３０，１３２，１３４（カード搬送機構）が設けられている。各搬送装置は、上下一対のローラ１４０，１４２を備え、二つのローラ間にカード１を挟持して、カードを水平方向に搬送する。本体２の背面側の搬送装置の１３４よりカード挿入口２ａ寄りには、カード情報を読み取るための磁気ヘッド２ｂと、ＩＣ接点２ｃとが搬送されるカードに臨むように配置されている。
【００１３】
符号１５０は、カード１を磁気ヘッド２ｂに対して支持する支持ローラである。本体２のカード搬送路１６０の終端は、カード回収用開口１７０に臨むようになっているため、本体２の背面側の搬送装置１３４は、カード回収用開口１７０からカードをカード回収装置１２０に搬出可能である。
【００１４】
カード回収装置１２０は、外側ケーシング３の中にカード回収箱９（カード回収機構）を備えるように構成されている。外側ケーシング３とカード回収箱９には、カード回収用開口１７０に臨むように、カード通過用開口２００，２１０が形成されている。
【００１５】
カード回収箱９には、夫々、カード回収箱９の高さ方向に昇降自在の上側昇降板１２、及び、下側昇降板１３が配置されている。カード回収箱９には、上側昇降板１２、及び、下側昇降板１３の昇降を可能にするとともに、上側昇降板１２、及び、下側昇降板１３の昇降の案内を実現する昇降・案内機構（移動機構）が設けられている。
【００１６】
昇降・案内機構として、限定されるものではないが、上側昇降板１２、及び、下側昇降板１３の左右の側面の夫々で立設された一対の直動機構１６が図示されている。直動機構１６は、上側昇降板１２、及び、下側昇降板１３を上下に直動させるものであって、上側昇降板１２、及び、下側昇降板１３を、ラック＆ピニオン、ボールねじ、リニアガイド等の公知の駆動機構によって、昇降させる。一対の直動機構１６は、カードの搬送方向に沿って２基設けられている。直動機構１６は、上側昇降板１２、及び、下側昇降板１３を夫々独立して昇降させる。
【００１７】
上側昇降板１２、及び、下側昇降板１３には、それぞれ、カードの平面に臨み、カードを搬送させるローラが設けられている。符号１０は、上側昇降板１２用のローラであり、符号１１は、下側昇降板１３用ローラである。夫々のローラは、駆動用モータ１０ａに連結されている。
【００１８】
カード回収箱９の開口２１０の近傍で、外側ケーシング３の開口２００には、一対の分離ローラ１４，１５を備える分離ローラユニット（搬送機構）が設けられている。これは、上下一対の分離ローラによって、カード１をカード取扱装置１００からカード回収箱９に引き込み、又は、カード回収箱９からカード取扱装置１００に向けて送出させるものであり、二つのローラを独立してその回転を制御できる。分離ローラユニットは、カード搬送路１６０に沿ってカード１をカード回収装置１２０とカード取扱装置１００の間で搬送できるようにしている。
【００１９】
次に、カード取扱システムの制御システムについて説明する。図３はその制御ブロック図である。制御システムは、コントローラ４００と、メモリ４０２と、カード取扱装置１００の搬送装置１３０，１３２，１３４を夫々駆動可能な第１駆動制御回路４０４と、カード回収装置１２０の直動機構１６と、分離ローラユニット１４,１５とを夫々駆動可能な第２駆動制御回路４０６と、を備えている。
【００２０】
コントローラ４００及び第１駆動制御回路４０４はカード取扱装置１００に存在し、第２駆動制御回路４０６はカード回収装置１２０に存在する。コントローラ４００は第２駆動制御回路４０６に駆動信号を提供するが、カード回収装置１２０に他のコントローラを設け、このコントローラがカード取扱装置１００のコントローラの支配のもと、第２駆動制御回路４０６に対する制御を実行してもよい。
【００２１】
メモリ４０２にはコントローラ４００の制御プログラムが格納されている。カードに係る情報はホスト計算機によって管理され、コントローラはホスト計算機にアクセスしてカードに係る情報を参照する。
【００２２】
コントローラ４００は、ユーザからの入力に応じて、メモリ４０２に記録されたカード処理用プログラムを実行して、例えば、紙幣の受け入れ、払出等のカード取扱処理を行う。さらに、コントローラ４００は、第１駆動制御回路４０４を制御して、カード挿入口２ａからカードの受け入れ、カードの返却等、カード取扱装置１００内でのカードの搬送のために各搬送装置におけるローラの回転を制御する。
【００２３】
さらに、コントローラ４００は、第２駆動制御回路４０６も制御することによって、カードをカード取扱装置１００からカード回収装置１２０内へ引き込み、又は、カードをカード回収装置１２０からカード取扱装置１００への搬出のために、分離ローラユニット１４，１５、直動機構１６、上側昇降板のローラ１０、及び、下側昇降板のローラ１１を夫々制御可能である。
【００２４】
次に、カード取扱システムによる、カードの回収の流れを説明する。コントローラ４００は、カードの取扱が終了すると、カードの回収の要否を判定する。例えば、カード取引後にユーザが所定時間カードをカード挿入口２ａから取り出さなかった場合、カードを回収する、と決定する。
【００２５】
コントローラ４００は、搬送装置１３０，１３２，１３４によって、カード１をカード回収装置１２０に向けて搬送させる。コントローラ４００は、カード回収箱９内にカードが回収できるように、上側昇降板１２を開口部２００，２１０より上方に移動させ、下側昇降板１３をカード回収箱９の下端に移動させる。コントローラは、分離ローラ１４，１５の回転と、搬送装置１３４のローラの回転とを、同期させて、カード１をカード回収装置１２０側に搬送する。
【００２６】
図２Ａ（カード取扱システムの左側面図）に示すように、カード１は開口２００，２１０を介してロール回収箱９に搬送され、下側昇降板１３に向けて自由落下してその上に載置される。コントローラは、カード１が回収箱９に回収されると、搬送装置１３４のローラ、分離ローラ１４,１５等を停止させる。このようにして、複数のカードが、カード回収箱９内で、回収順に下側昇降板１３の上に重なって収容される。図２Ｂ（カード取扱システムの左側面図）は、６枚のカードが回収箱内９に回収順に積層されていることを示している。
【００２７】
コントローラ４００は、どのカードがどのような順番で回収されているかを管理テーブルによって管理している（管理システム）。管理テーブルは、ホスト計算機が利用するメモリ領域に記録されている。図４は管理テーブルの一例である。管理テーブルは、カード識別情報としての、例えば、口座情報（金融機関名、口座番号等）、口座名義人情報（氏名、会社名、住所等）、カードの位置情報を備えている。取引番号が記録されてもよい。
【００２８】
カードの位置情報とは、下側昇降板１３上で複数のカードが順番に積層されたカード群（積層体）における、夫々のカードの積層順番である。例えば、下側昇降板１３の直上にあるカードの位置情報は１である。コントローラ４００はカードの回収を決定する都度、テーブルにエントリを追加し、取引情報に基づいてカードの識別情報を記録する。＃１〜＃６は管理テーブルのエントリ番号である。さらに、コントローラ４００は、カードの回収を決定すると、回収されるカードの位置情報をテーブル内の最大値より一つ多い値とする。例えば、＃６のカードが新たに回収される場合には、当該カードの位置情報は６になる。後述するように、コントローラ４００は、回収されたカードを返却すると、又は、カードの積層順番を変更すると、それに合わせて、管理テーブルのカードの位置情報を変更する。
【００２９】
次に、カードの返却処理について説明する。図５はそのためのフローチャートである。コントローラ４００は、ユーザからカードの返却要求があると返却処理を開始する。コントローラ４００は、カードをユーザに返却すべきか否かを決定する（ＳＰ１０）。そこで、コントローラ４００は、ユーザにカードの識別情報の入力を求める。識別情報とは、管理テーブルに含まれる口座情報、口座名義人等の複数の識別情報の一つ又は２つ以上、及び、暗証番号である。
【００３０】
コントローラ４００は、カードの識別情報と暗所番号とをホスト計算機に照会し、ユーザの入力情報が適正でない場合には、ユーザにカードを返却すべきでないと判定して、これをユーザに報知してフローチャートを終了する。コントローラは、ユーザの入力情報が適正であることを確認すると、入力情報をキーにして管理テーブルを検索し、識別情報に合致するカードが存在するか否かを検索する（ＳＰ１２）。
【００３１】
コントローラは、該当するカードが存在しない場合には、これをユーザに報知してフローチャートを終了する。該当するカードが存在する場合には、カードを搬送するための準備として、上側昇降板１２及び／又は下側昇降板１３を移動させて、両昇降板で下側昇降板１３上に積層された複数のカードを押圧挟持する。
【００３２】
コントローラは、該当カードの位置情報を参照して、他のカードの位置情報と比較して最も大きい値であるか否かを判定する（ＳＰ１４）。コントローラは、これを肯定する、即ち、複数のカードのうち最上段にあるカードが目的のカードであると判定して、図６（カード取扱システムの左側面図）に示すように、当該カードが開口部２００，２１０に臨む位置、換言すれば、カードの搬送路の位置、まで上側昇降板１２及び下側昇降板１３を移動させ、その後、上側ローラ１０をカードが分離ローラユニット１４，１５に送出されるように回転させる。上側昇降板１２及び下側昇降板１３で下側昇降板１３上に積層された複数のカードが適切に押圧されているために、上側ローラ１０は、最上段のカードの平面（他のカードに接触していない開放面）に密着して、ローラに回転によって最上段のカードのみをその他のカードから選別して送り出すことができる。
【００３３】
コントローラは、上側ローラ１０と分離ローラユニット１４，１５を同期して回転させて、カードをカード取扱装置１００の背面側開口から搬送装置１３４まで送り出し、さらに他の搬送装置１３０，１３２によって当該カードをカード挿入口２ａ（ユーザ側前面）に向けて搬送させる（ＳＰ１６）。
【００３４】
この過程で、コントローラはカード情報を磁気ヘッド２ｂ、ＩＣ接点２ｃよって読み込み、読み込んだデータを管理テーブルのカード情報と照合させる。コントローラは、照合の結果、両者のデータが一致していると判定すると（ＳＰ１８）、カードをカード挿入口２ａからユーザが取り出すことができるように、カードを露出させる（ＳＰ２０）。そして、コントローラは、管理テーブルの該当カードのエントリを削除すると共に、管理テーブルに記録されている全てのカードについて、カード位置情報を一つ減算する。
【００３５】
両者が一致しないことは、何らかの原因によって、カード回収箱９の中でカードの回収順番とカードの積層順番がずれて、管理テーブルのカードの識別情報とカード位置情報が整合しなくなったことを意味している。そこで、コントローラは、カードの識別情報とカード位置情報を整合させるために、テーブルの校正処理を行い（ＳＰ２２）、この後、ＳＰ１２に戻ってユーザにカード返却処理のやり直しを求める。なお、コントローラは、ユーザにカード返却処理のやり直しを求めることなく、目的のカードを返却してもよい。校正処理については、後述する。
【００３６】
次いで、コントローラは、管理テーブルに基づいて、該当するカードがカードの積層群の最下段か否かを判定し（ＳＰ２４）、これを肯定すると、図７Ａ，７Ｂ（カード取扱システムの左側面図）に示すように、上下の昇降板１２，１３で下側昇降板１３上に積層されたカードを押圧挟持しながら、複数のカードのうち最下段にあるカードが開口２００，２１０に臨む位置まで上側昇降板１２及び下側昇降板１３を移動させ、最下段のカードを、下側ローラ１１を回転させて、分離ローラユニット１４，１５に搬送する（ＳＰ２６）。カードの返却のためのその他の動作は既述の場合（ＳＰ１６，ＳＰ１８，ＳＰ２０，ＳＰ２２）と同様である。この時、上側ローラ１０は回転されない。
【００３７】
該当するカードが最下段にない場合には、該当するカードが最下段になるまでカード位置を変更する。この理由は、目的のカードは下側昇降板１３のローラ１１によって、送り出されるためである。
【００３８】
カード位置を変更するための制御を具体的に説明する。図８Ａ（カード取扱システムの左側面図）に示すように、コントローラが、下から３番目のカード１をユーザに返却すべきカードとして判定すると、図８Ｂ（カード取扱システムの左側面図）に示す様に、上側昇降板１２及び下側昇降板１３を上昇させて、最下段のカードの位置をカード搬送路面の高さに一致させる。コントローラは、最下段のカードをカード取扱装置１００に送り出して、カード取扱装置内の搬送装置１３０，１３２，１３４に当該カードを一時保持する。
【００３９】
そして、コントローラは、下側昇降板１３を下端に退避させ、上側昇降板を上方に退避させて、カード回収箱９にカード回収用の空間を形成させた後、搬送装置１３４、分離ローラ１４，１５を、カードが回収ユニット１２０側に搬送されるように駆動して、一時保管したカードをカード積層体の最も上の位置に積層させる（ＳＰ２４）。コントローラは、このようにしてカードの位置を変更すると共に、管理テーブルのカード位置の情報を変更する（ＳＰ２８）。
【００４０】
コントローラは、ＳＰ２４に戻り、変更された管理テーブルを参照して処理を継続する。コントローラは、これを繰り返すことによって、目的のカードを最下段に移動させることができる。
【００４１】
次に、既述のカード校正処理（ＳＰ２２）を説明する。コントローラは、カード回収箱９内に収容された全てのカードについて、ＳＰ２６で説明したように、最下層のカードをカード取扱装置１００に一旦保管し、その間、磁気ヘッド２ｂ及び/又はＩＣ接点２ｃでカード情報を検出し、管理テーブルを参照して、カードの識別情報とカードの位置情報との対応が正しいか否かを判定する。コントローラは、カードの識別情報とカードの位置情報との対応が正確でなければ、テーブルを修正する。その後、コントローラは、カードをカード回収箱９の最上層に戻す。コントローラは、全てのカードについて、この処理を繰り返す。カードの回収、返却の要求、返却の成否等、カードの回収、返却のログ情報は、コントローラ４００によって、ホスト計算機に記録される。
【００４２】
既述の説明において、目的のカードが最上層にある場合には、目的のカードを最下層まで移動させて、下側昇降板から搬送させるのではなく、カードの位置を変えることなく、上側昇降板のローラ１０によって、カードを搬送させているが、この理由は次のとおりである。カードを取り忘れたユーザは、通常、カード取扱装置から離れた後、すぐに気付いて戻って来ることが多い。この場合、目的のカードは、最上層にあるので、上側昇降板のローラ１０によってカードを搬送させる方がカード返却のための工程が少なくて済む。なお、全てのカードは、下側昇降板のローラ１１によって搬送されるため、上側昇降板のローラ１０を省略することは可能である。
【００４３】
従来のカード回収装置では、回収したカードを１枚ずつ収容するカードスロットを上下に複数段重ねた構造を備えており、カード取扱装置の背部にカード回収装置を接続する場合、カード回収装置の高さがカード取扱装置と同等に制約されていたため、実質的なスロットの数は数個程度に限定されていた。さらに、スロット自体の厚みも数ミリ程度に制限されていたため、変形したカードをスロットに収納できない、或いは、スロットにカードが詰まるという問題があった。
【００４４】
これに対して既述のカード取引システムによれば、複数のカードを回収順に直接重ねて保管しているために、より多くのカードを回収することができる。そして、複数のカードの積層体を移動させて、積層体の中のカードを取り出すことができるために、複数のカードを直に積層させて保管しても、目的のカードを正確に選別してユーザに返却することができる。
【００４５】
図９は、カード取引システムの第２の実施形態に係る左側面図である。カード回収箱９の底面に、第２のカードの回収箱１７が配置されている。偽造カード、不正カード、変形カード等回収したカードを返却する必要が無いことが確定している場合、コントローラは上側昇降板１２及び下側昇降板１３を開口部より上の位置まで上昇させ、カード取扱装置１００から回収したカード１を第２の回収箱１７内に自由落下させる。この構成にすると下側昇降板１３の可動域が小さくなるので、下側昇降板１３上に積層されるカードの回収枚数が少なくなるが、返却不要とされたカードを、返却の可能性があるカードから簡単に分けることができるという効果がある。
【００４６】
図１０はカード取引システムの第３の実施形態に係る左側面図である。下側昇降板１３に実装するカード繰出し機構としてベルト１８が使用される態様を示している。上側昇降板１２及び下側昇降板１３の両方にベルトを実装しても良い。
【００４７】
図１１Ａはカード取引システムの第４の実施形態に係る左側面図である。下側昇降板１３に実装するカード繰出し機構にフック１９を使用した形態が示されている。通常の回収時にはフック１９はカード回収箱９の終端側に位置し、図１１Ｂに示すように、カードを返却する場合には」、フック１９が最下段のカード一枚だけと係合しながら前進して、カードをカード取扱装置１００側に繰出す事が出来る。上側昇降板１２及び下側昇降板１３の両方に繰り出し用のフックを実装してもよい。
【００４８】
図１２はカード取引システムの第５の実施形態に係るカード回収装置１２０の左側面図である。第２の回収箱１７をカード回収箱９の後方に配置する。カード回収箱９には後部に開口部９ｂ、上側回収ローラ２０ａ及び下側回収ローラ２０ｂを設ける。回収したカードを返却する必要が無いことが確定している場合、上側昇降板１２及び下側昇降板１３を図１２の位置まで移動させ、カード取引装置１００から回収したカード１を第２の回収箱１７に自由落下させる。この時、上側回収ローラ２０ａ及び下側回収ローラ２０ｂをカードが後方に搬送されるように回転させる。この構成にすると装置の全長は長くなるが、図９と比較して、下側昇降板１３の可動域を最大限取れるので、カードの回収枚数を多くでき、かつ、返却不要のカードを容易に取り出すことができる。
【００４９】
既述の実施形態は一例であり、本発明を限定するものではない。例えば、カードの分野は、銀行等の金融機関に限らず、映画、公演等の娯楽産業、鉄道等の交通機関等限定されない。そして、カードの素材及び厚みは限定されない。
【符号の説明】
【００５０】
１  カード
２  カード取扱装置
２ａ  カード挿入口
２ｂ  磁気ヘッド
２ｃ  ＩＣ接点
３  カード回収装置
９  カード回収ユニット
９ａ  開口部
１０  上側繰出しローラ
１０ａ  上側繰出しローラ用モータ
１１  下側繰出しローラ
１２  上側昇降板
１３  下側昇降板
１４  上側分離ローラ
１５  下側分離ローラ
１６  昇降板の昇降機構
１８  下側繰出しベルト
１９  下側繰出しフック
【図１Ａ】
0006474711.tif 000002
【図１Ｂ】
0006474711.tif 000003
【図２Ａ】
0006474711.tif 000004
【図２Ｂ】
0006474711.tif 000005
【図３】
0006474711.tif 000006
【図４】
0006474711.tif 000007
【図５】
0006474711.tif 000008
【図６】
0006474711.tif 000009
【図７Ａ】
0006474711.tif 000010
【図７Ｂ】
0006474711.tif 000011
【図８Ａ】
0006474711.tif 000012
【図８Ｂ】
0006474711.tif 000013
【図９】
0006474711.tif 000014
【図１０】
0006474711.tif 000015
【図１１Ａ】
0006474711.tif 000016
【図１１Ｂ】
0006474711.tif 000017
【図１２】
0006474711.tif 000018